(57)【要約】      （修正有）【課題】簡素な構成で、多数のゴルフボールを用いて連続してパッティングの練習を行う際に、ターゲット部のゴルフボールを取り除く手間を無くすことができるパター練習具を提供する。【解決手段】ゴルフボール３とゴルフパターとを用いてパッティングの練習ができるパター練習具１において、略棒状をなす棒状部４を有し、棒状部４の正面側がゴルフボール３の転動の障壁となるバリア部７となっており、棒状部４の左右方向の略中央部には、正面側に突出されてゴルフボール３のターゲットとなるターゲット部５が設けられる。【選択図】図２
0003160231.tif 000002
【実用新案登録請求の範囲】
【請求項１】
ゴルフボールとゴルフパターとを用いてパッティングの練習ができるパター練習具において、
略棒状をなす棒状部を有し、該棒状部の正面側が前記ゴルフボールの転動の障壁となるバリア部となっており、該棒状部の左右方向の略中央部には、正面側に突出されて前記ゴルフボールのターゲットとなるターゲット部が設けられることを特徴とするパター練習具。
【請求項２】
前記ターゲット部の先端部には、尖がった尖端部が設けられることを特徴とする請求項１に記載のパター練習具。
【請求項３】
前記ターゲット部の左右側部には、前記ゴルフボールを側方に受け流す側受部が設けられることを特徴とする請求項１または２に記載のパター練習具。
【請求項４】
前記ターゲット部は、平面視で略三角形状をなすことを特徴とする請求項１ないし３のいずれかに記載のパター練習具。
【請求項５】
前記ターゲット部は、平面視で略半球形状をなし、該ターゲット部の直径がゴルフの規則上のゴルフホールの直径寸法と略同一寸法となっていることを特徴とする請求項１ないし３のいずれかに記載のパター練習具。
【請求項６】
前記棒状部の左右端部には、正面側に屈曲されて前記ゴルフボールを受ける端受部が設けられることを特徴とする請求項１ないし５のいずれかに記載のパター練習具。
【請求項７】
前記パター練習具を所定のフックに掛止させるためのフック穴が設けられることを特徴とする請求項１ないし６のいずれかに記載のパター練習具。
【請求項８】
前記パター練習具の自重が所定の重量となるようにウエイト部が設けられることを特徴とする請求項１ないし７のいずれかに記載のパター練習具。
【請求項９】
前記パター練習具の下面には、床面との摩擦抵抗を増大させる滑り止め部が設けられることを特徴とする請求項１ないし８のいずれかに記載のパター練習具。
【請求項１０】
前記ターゲット部には、該ターゲット部に前記ゴルフボールが当たったときにヒット音を発生させるヒット音発生部が設けられることを特徴とする請求項１ないし９のいずれかに記載のパター練習具。
【請求項１１】
前記ヒット音発生部は、前記ターゲット部の左右で異なる音色のヒット音を発生させることを特徴とする請求項１０に記載のパター練習具。
【考案の詳細な説明】
【技術分野】
【０００１】
本考案は、ゴルフボールとゴルフパターとを用いてパッティングの練習ができるパター練習具に関する。
【背景技術】
【０００２】
従来、室内等においてゴルフパターとゴルフボールを用いたパッティングの練習ができる簡素なパター練習具がある（例えば、特許文献１〜３参照）。
【先行技術文献】
【特許文献】
【０００３】
【特許文献１】特開平１１−９９２３５号公報
【特許文献２】特開２００５−３１９２３７号公報
【特許文献３】特開２００６−５８６号公報
【考案の概要】
【考案が解決しようとする課題】
【０００４】
しかしながら、特許文献１〜３のパター練習具にあっては、屋内の絨毯等の床面に設置して容易にパッティングの練習ができるため便利であるが、カップ穴（ターゲット部）にゴルフボールが入る度にカップ穴内のゴルフボールを取り除く必要があり、使用者の足元に多数のゴルフボールをストックしておいて、連続してパッティングの練習を行う際に、カップ穴内のゴルフボールを取り除く作業が面倒であるという問題がある。
【０００５】
本考案は、このような問題点に着目してなされたもので、簡素な構成のパター練習具において、多数のゴルフボールを用いて連続してパッティングの練習を行う際に、ターゲット部のゴルフボールを取り除く手間を無くすことができるパター練習具を提供することを目的とする。
【課題を解決するための手段】
【０００６】
前記課題を解決するために、本考案のパター練習具は、
ゴルフボールとゴルフパターとを用いてパッティングの練習ができるパター練習具において、
略棒状をなす棒状部を有し、該棒状部の正面側が前記ゴルフボールの転動の障壁となるバリア部となっており、該棒状部の左右方向の略中央部には、正面側に突出されて前記ゴルフボールのターゲットとなるターゲット部が設けられることを特徴としている。
この特徴によれば、使用者の足元に多数のゴルフボールをストックしておいて、この多数のゴルフボールを用いて連続してパッティングの練習を行う際に、使用者は、パター練習具のターゲット部を狙ってパッティングを行うことができ、かつゴルフボールがターゲット部に当たった場合には、ゴルフボールが弾かれてターゲット部から離れるようになり、使用者がターゲット部のゴルフボールを取り除く手間を無くすことができるばかりか、ゴルフボールがターゲット部を外れた場合であっても、バリア部によりゴルフボールの転動が棒状部の位置で停止されるようになる。
【０００７】
本考案のパター練習具は、
前記ターゲット部の先端部には、尖がった尖端部が設けられることを特徴としている。
この特徴によれば、ゴルフボールが尖端部に当たった際に、ゴルフボールが左右いずれかの側方に移動されてターゲット部から速やかに離れるようになるばかりか、ゴルフボールが右回転または左回転されて転動される際には、尖端部に当たったゴルフボールは、その左右の回転方向に応じて右側または左側に移動されるようになり、使用者はゴルフボールの回転方向を容易に把握することができる。
【０００８】
本考案のパター練習具は、
前記ターゲット部の左右側部には、前記ゴルフボールを側方に受け流す側受部が設けられることを特徴としている。
この特徴によれば、側受部により受け流されたゴルフボールは、ターゲット部の左右いずれかの側方に移動されるようになり、ゴルフボールがターゲット部から速やかに離れるようになる。
【０００９】
本考案のパター練習具は、
前記ターゲット部は、平面視で略三角形状をなすことを特徴としている。
この特徴によれば、略三角形状をなすターゲット部に当たったゴルフボールは、ターゲット部の形状に合わせて左右いずれかの側方に移動されるようになり、ゴルフボールがターゲット部から速やかに離れるようになる。
【００１０】
本考案のパター練習具は、
前記ターゲット部は、平面視で略半球形状をなし、該ターゲット部の直径がゴルフの規則上のゴルフホールの直径寸法と略同一寸法となっていることを特徴としている。
この特徴によれば、使用者は、ゴルフの規則上のゴルフホールの直径寸法を体感しながら、パッティングの練習を行うことができる。
【００１１】
本考案のパター練習具は、
前記棒状部の左右端部には、正面側に屈曲されて前記ゴルフボールを受ける端受部が設けられることを特徴としている。
この特徴によれば、バリア部に沿って棒状部の端部側に向かって転動されるゴルフボールが端受部により受けられ、ゴルフボールが散らばることなくの端受部によって停止されるようになる。
【００１２】
本考案のパター練習具は、
前記パター練習具を所定のフックに掛止させるためのフック穴が設けられることを特徴としている。
この特徴によれば、パター練習具を使用しないときには、フック穴を用いてパター練習具を室内の壁面等の所定位置に設けられるフック等に掛止させることができる。
【００１３】
本考案のパター練習具は、
前記パター練習具の自重が所定の重量となるようにウエイト部が設けられることを特徴としている。
この特徴によれば、バリア部やターゲット部にゴルフボールが当たった際に、ゴルフボールの衝突力によりパター練習具が動いてしまうことをその自重により防止できる。
【００１４】
本考案のパター練習具は、
前記パター練習具の下面には、床面との摩擦抵抗を増大させる滑り止め部が設けられることを特徴としている。
この特徴によれば、バリア部やターゲット部にゴルフボールが当たった際に、ゴルフボールの衝突力によりパター練習具が動いてしまうことを滑り止め部と床面との摩擦抵抗により防止できる。
【００１５】
本考案のパター練習具は、
前記ターゲット部には、該ターゲット部に前記ゴルフボールが当たったときにヒット音を発生させるヒット音発生部が設けられることを特徴としている。
この特徴によれば、ターゲット部にゴルフボールが当たる度にヒット音が発生し、パッティング練習の楽しさが向上する。
【００１６】
本考案のパター練習具は、
前記ヒット音発生部は、前記ターゲット部の左右で異なる音色のヒット音を発生させることを特徴としている。
この特徴によれば、ターゲット部に当たったゴルフボールがその左右の回転方向に応じて右側または左側に移動された際や、ゴルフボールが左右にズレてターゲット部に当たった際などに、使用者はゴルフボールの転動の状態をヒット音により容易に把握することができる。
【図面の簡単な説明】
【００１７】
【図１】実施例１におけるパター練習具を示す斜視図である。
【図２】パター練習具を示す平面図である。
【図３】パター練習具を示す正面図である。
【図４】パター練習具を示す図３のＡ−Ａ縦断側面図である。
【図５】実施例２におけるパター練習具を示す平面図である。
【考案を実施するための形態】
【００１８】
本考案に係るパター練習具を実施するための形態を実施例に基づいて以下に説明する。
【実施例１】
【００１９】
実施例１に係るパター練習具につき、図１から図４を参照して説明する。以下、図２の紙面下側をパター練習具の正面側（前方側）とし、図４の紙面左側をパター練習具の正面側（前方側）として説明する。
【００２０】
図１の符号１は、本考案の適用されたパター練習具である。使用者がパッティングの練習を行う際には、このパター練習具１を屋内の絨毯等の床面に設置して、パター練習具１から離れた位置にて、パター２を用いてゴルフボール３を打撃し、ゴルフボール３をパター練習具１に向かって転動させるようになっている。
【００２１】
使用者は、足元に多数のゴルフボール３をストックしておいて、連続してパッティングの練習を行うことができる。尚、本実施例において、パター練習具１は、主にＦＲＰ等の合成樹脂等の材質を用いて形成されている。このパター練習具１を形成する材質は、木材や金属材など所定の条件に応じて適宜変更してもよい。
【００２２】
図２に示すように、パター練習具１は、左右方向に延びる長尺の略棒状をなす棒状部４を有している。この棒状部４の左右方向の略中央部には、棒状部４の一部が正面側に突出されて形成されて、ゴルフボール３のターゲットとなるターゲット部５が設けられている。このターゲット部５は、平面視で略三角形状をなしており、ターゲット部５の先端部は、尖がった形状に形成された尖端部６となっている。使用者は、ターゲット部５に向かってゴルフボール３を転動させるようになっている。
【００２３】
また、棒状部４は、その縦断側面視において略矩形状をなしており（図４参照）、その正面側が、ゴルフボール３の転動の障壁となるバリア部７となっている。このバリア部７の高さ寸法は、ゴルフボール３の半径寸法よりも高くなるように形成されており、ゴルフボール３がバリア部７を容易に乗り越えられないようになっている。
【００２４】
使用者は、パター練習具１のターゲット部５を狙ってパッティングを行うことができ、かつゴルフボール３がターゲット部５に当たった場合には、ゴルフボール３が弾かれてターゲット部５から離れるようになり、使用者がターゲット部５のゴルフボール３を取り除く手間を無くすことができるばかりか、ゴルフボール３がターゲット部５を外れた場合であっても、バリア部７によりゴルフボール３の転動が棒状部４の位置で停止されるようになる。
【００２５】
ターゲット部５の先端部が尖がった形状に形成された尖端部６となっていることで、ゴルフボール３が尖端部６に当たった際には、ゴルフボール３が左右いずれかの側方に移動されてターゲット部５から速やかに離れるようになるばかりか、ゴルフボール３が右回転または左回転されて転動される際には、尖端部６に当たったゴルフボール３は、その左右の回転方向に応じて右側または左側に移動されるようになり、使用者は、自分が打ったゴルフボール３の回転方向を容易に把握することができる。
【００２６】
また、略三角形状をなすターゲット部５の左右側部は、尖端部６に当たったゴルフボール３を左右いずれかの側方に受け流す側受部８となっている。この側受部８により受け流されたゴルフボール３は、ターゲット部５の左右いずれかの側方に移動されるようになり、ゴルフボール３がバリア部７に沿ってターゲット部５から速やかに離れるように転動されるようになる。
【００２７】
更に、棒状部４の左右端部は、正面側に屈曲されており、この棒状部４の左右端部がゴルフボール３を受ける端受部９となっている。この端受部９が設けられることで、バリア部７に沿って棒状部４の端部側に向かって転動されるゴルフボール３が端受部９により受けられ、ゴルフボール３が左右に散らばることなくの端受部９によって停止されるようになる。
【００２８】
また、棒状部４の左側の端部には、パター練習具１を室内の壁面等の所定位置に設けられる所定のフック（図示略）に掛止させるためのフック穴１０が貫通されている。棒状部４の端部にフック穴１０が形成されることで、フックに掛止されるパター練習具１は、その長手が垂直方向を向くようになり、パター練習具１の掛止スペースを節約できるばかりか、パター練習具１が安定的に掛止されるようになる。
【００２９】
図３に示すように、パター練習具１の下面には、床面との摩擦抵抗を増大させる滑り止め部としてのゴム部材１１が貼り付けられている。パター練習具１の下面にゴム部材１１が貼り付けることで、バリア部７やターゲット部５にゴルフボール３が当たった際に、ゴルフボール３の衝突力によりパター練習具１が動いてしまうことをゴム部材１１と床面との摩擦抵抗により防止できる。
【００３０】
尚、本実施例では、滑り止め部としてゴム部材１１を用いているが、床面との摩擦抵抗を増大させるものであればいかなる部材でもよく、例えば、床面の絨毯との摩擦抵抗を増大させる面ファスナーなどを滑り止め部として用いるようにしてもよい。
【００３１】
図４に示すように、パター練習具１には、その自重が所定の重量となるようにウエイト部としての重り部材１２が設けられている。この重り部材１２は、鉛やステンレス等の重量を有する金属部材で形成されている。この重り部材１２が設けられることで、バリア部７やターゲット部５にゴルフボール３が当たった際に、ゴルフボール３の衝突力によりパター練習具１が動いてしまうことをその自重により防止できる。
【００３２】
尚、本実施例では、ウエイト部として重り部材１２を用いているが、パター練習具１を形成する主な材質である合成樹脂等の材質自体を、重量を有するヘビーウエイト樹脂で構成してもよく、その場合には、パター練習具１自体がウエイト部となる。
【実施例２】
【００３３】
次に、実施例２に係るパター練習具１３につき、図５を参照して説明する。実施例２におけるパター練習具１３の棒状部１４は、前記実施例１と同様にバリア部１５となっている。そして、棒状部１４の中央部に設けられるターゲット部１６は、平面視で略半球形状をなすように突出されている。
【００３４】
尚、このターゲット部１６の直径Ｄは、ゴルフの規則上（公式ルール上）のゴルフホールの直径寸法と略同一寸法となっている。そのため使用者は、ゴルフの規則上のゴルフホールの直径寸法を体感しながら、パッティングの練習を行うことができる。
【００３５】
また、ターゲット部１６には、ターゲット部１６にゴルフボール３が当たったときにヒット音を発生させるヒット音発生部としての金属板１７，１８，１９が取り付けられている。この金属板１７，１８，１９が取り付けられることで、ターゲット部１６にゴルフボール３が当たる度にヒット音が発生し、パッティング練習の楽しさが向上する。
【００３６】
また、金属板１７，１８，１９は、中央部の金属板１８及び左右それぞれの金属板１７，１９の３つに分割されており、それぞれが異なる音色（音程）のヒット音を発生させるようになっている。特に、ターゲット部１６の左右の金属板１７，１９が互いに異なる音色のヒット音を発生させるようになっており、このようにすることで、ターゲット部１６に当たったゴルフボール３が、その左右の回転方向に応じて右側または左側に移動された際や、ゴルフボール３が左右にズレてターゲット部１６に当たった際などに、使用者はゴルフボール３の転動の状態をヒット音により容易に把握することができる。
【００３７】
更に、左右の金属板１７，１９の表面が実施例２における側受部となっている。そして、中央の金属板１８の中央部には、尖端部２０が設けられており、ゴルフボール３が尖端部２０に当たった際には、ゴルフボール３が左右いずれかの側方に移動されるようになっている。
【００３８】
尚、棒状部１４の左右端部は、ターゲット部１６の突出長と同様の寸法の突出長となるように屈曲されて端受部２１が形成されている。そのためより多くのゴルフボール３を端受部２１にストックできるようになっている。
【００３９】
以上、本考案の実施例を図面により説明してきたが、具体的な構成はこれら実施例に限られるものではなく、本考案の要旨を逸脱しない範囲における変更や追加があっても本考案に含まれる。
【００４０】
例えば、前記実施例では、パター練習具１を屋内の絨毯等の床面に設置して使用するようになっているが、パター練習具１を屋外の芝生に設置して使用するようにしてもよい。
【符号の説明】
【００４１】
１                パター練習具
２                パター
３                ゴルフボール
４                棒状部
５                ターゲット部
６                尖端部
７                バリア部
８                側受部
９                端受部
１０              フック穴
１１              ゴム部材（滑り止め部）
１２              重り部材（ウエイト部）
１３              パター練習具
１４              棒状部
１５              バリア部
１６              ターゲット部
１７              金属板（ヒット音発生部）
１８              金属板（ヒット音発生部）
１９              金属板（ヒット音発生部）
２０              尖端部
２１              端受部
【図１】
0003160231.tif 000003
【図２】
0003160231.tif 000004
【図３】
0003160231.tif 000005
【図４】
0003160231.tif 000006
【図５】
0003160231.tif 000007